(57)【要約】【課題】  有無線連結装置を利用して有線バックボーンネットワークに連結された調整子基盤無線網と異種のネットワークとの通信方法及び装置を提供する。【解決手段】  調整子基盤無線網のネットワーク装置が、調整子基盤無線網ではない他の類型のネットワークに連結されているネットワーク装置と通信するために、異種のネットワークの類型情報及び異種のネットワークにより支援される物理アドレスの長さに関する情報を含むフレームを提供し、それら情報によって有無線連結装置が、調整子基盤無線網のフレームを異種のネットワークにより支援される形式のフレームに変換して伝達する通信方法。【選択図】  図７Ａ
2005318619.tif 000002
【特許請求の範囲】
【請求項１】
自身の属する調整子基盤無線網と異なる類型のネットワークに連結された目的地ネットワーク装置の物理アドレスを獲得する段階と、
前記目的地ネットワーク装置の物理アドレスを含むフレームを生成する段階と、
前記生成されたフレームを前記調整子基盤無線網とバックボーンネットワークとを連結する連結装置に伝送する段階と、を含むバックボーンネットワークに連結された調整子基盤無線網と異種のネットワークとの通信方法。
【請求項２】
前記目的地ネットワーク装置の物理アドレスを獲得する段階は、前記目的地ネットワーク装置の物理アドレスを要請するフレームを伝送する段階と、前記物理アドレスを要請するフレームを伝送した後に前記連結装置から前記目的地ネットワーク装置の物理アドレスを含む物理アドレス応答フレームを受信する段階と、前記物理アドレス応答フレームから前記目的地ネットワーク装置の物理アドレスを抽出する段階と、を含む請求項１に記載のバックボーンネットワークに連結された調整子基盤無線網と異種のネットワークとの通信方法。
【請求項３】
前記物理アドレスを要請するフレームは、前記目的地ネットワークにより支援される形式のソースネットワーク装置の論理アドレス、前記目的地ネットワーク装置の論理アドレス及び前記ソースネットワーク装置の物理アドレスを含む請求項２に記載の通信方法。
【請求項４】
前記物理アドレスを含むフレームは、伝送するデータを含むフレームボディ部分と前記伝送するデータに関する情報を含むヘッダ部分とよりなり、前記ヘッダ部分は、前記目的地ネットワークの類型を表す情報、前記目的地ネットワークにより支援されるネットワーク装置の物理アドレス長を表す情報及び前記目的地ネットワークにより支援される形式のソースネットワーク装置の物理アドレスと目的地ネットワーク装置の物理アドレスとを含む請求項１に記載の通信方法。
【請求項５】
前記物理アドレスを含むフレームは、伝送するデータを含むフレームボディ部分と前記伝送するデータに関する情報を含むヘッダ部分とよりなり、前記ヘッダ部分は、前記目的地ネットワークの類型を表す情報及び前記目的地ネットワークにより支援されるネットワーク装置の物理アドレス長を表す情報を含み、前記フレームボディ部分は、前記目的地ネットワークにより支援される形式のソースネットワーク装置の物理アドレス及び目的地ネットワーク装置の物理アドレスを含む請求項１に記載の通信方法。
【請求項６】
自身の属する調整子基盤無線網とバックボーンネットワークとを連結する連結装置から物理アドレス要請フレームを受信する段階と、
前記物理アドレス要請フレームを受信した後、前記物理アドレス要請フレームを伝送したネットワークにより支援される形式に変換された自身の物理アドレスを含む物理アドレス応答フレームを前記連結装置に伝送する段階と、
前記物理アドレス応答フレームを前記連結装置に伝送した後、前記連結装置から前記自身の物理アドレスを含むフレームを受信する段階と、を含むバックボーンネットワークに連結された調整子基盤無線網と異種のネットワークとの通信方法。
【請求項７】
前記自身の物理アドレスを含むフレームを受信する段階は、前記フレームを自身の属する調整子基盤無線網により支援される形式に変換する段階と、前記変換されたフレームを処理する段階と、を含む請求項６に記載の通信方法。
【請求項８】
調整子基盤無線網内のネットワーク装置から受信したフレームをバックボーンネットワークにより支援される形式のフレームに変換する段階と、
前記バックボーンネットワークにより支援される形式に変換されたフレームをバックボーンネットワークに伝達する段階と、
前記バックボーンネットワークから受信したフレームを調整子基盤無線網により支援される形式のフレームに変換する段階と、
前記調整子基盤無線網により支援される形式に変換されたフレームを前記調整子基盤無線網内のネットワーク装置に伝送する段階と、を含むバックボーンネットワークに連結された調整子基盤無線網と異種のネットワークとの通信方法。
【請求項９】
前記バックボーンネットワークにより支援される形式のフレームに変換する段階は、前記調整子基盤無線網内のネットワーク装置から受信したフレームのヘッダ部分に含まれている前記目的地ネットワーク類型情報及び前記目的地ネットワークにより支援されるネットワーク装置の物理アドレス長を表す情報によって、前記目的地ネットワークにより支援される形式のフレームに変換する段階と、前記目的地ネットワークにより支援される形式のフレームに変換されたフレームを前記バックボーンネットワークにより支援される形式のフレームに変換する段階と、を含む請求項８に記載の通信方法
【請求項１０】
前記調整子基盤無線網から受信したフレームをバックボーンネットワークに伝達する段階以前に前記フレームを保存する段階をさらに含む請求項８に記載の通信方法。
【請求項１１】
前記バックボーンネットワークから受信したフレームを前記調整子基盤無線網内のネットワーク装置に伝送する段階以前に前記フレームを保存する段階をさらに含む請求項８に記載の通信方法。
【請求項１２】
自身の属する調整子基盤無線網と異なる類型のネットワークに連結された目的地ネットワーク装置の物理アドレスを要請するフレームを生成し、前記物理アドレス要請フレームについての応答である物理アドレス応答フレームから前記目的地ネットワーク装置の物理アドレスを抽出して、前記目的地ネットワークにより支援される形式に変換された目的地ネットワーク装置の物理アドレスを含むフレームを生成する制御モジュールと、
前記制御モジュールで生成された前記物理アドレス要請フレームまたは前記目的地ネットワーク装置の物理アドレスを含むフレームを伝送し、前記物理アドレス要請フレームについての応答である前記物理アドレス応答フレームを受信する送受信モジュールと、
前記制御モジュールで生成されたフレームまたは前記送受信モジュールから提供されたフレームを保存する保存モジュールと、を含むネットワーク装置。
【請求項１３】
前記目的地ネットワーク装置の物理アドレスを含むフレームは、伝送するデータを含むフレームボディ部分と、前記伝送するデータに関する情報を含むヘッダ部分とよりなり、前記ヘッダ部分は目的地ネットワークの類型を表す情報、前記目的地ネットワークにより支援されるネットワーク装置の物理アドレス長を表す情報、及び前記目的地ネットワークにより支援される形式に変換されたソースネットワーク装置の物理アドレスと目的地ネットワーク装置の物理アドレスとを含む請求項１２に記載のネットワーク装置。
【請求項１４】
前記目的地ネットワーク装置の物理アドレスを含むフレームは、伝送するデータを含むフレームボディ部分と前記伝送するデータに関する情報を含むヘッダ部分とよりなり、前記ヘッダ部分は、前記目的地ネットワークの類型を表す情報及び前記目的地ネットワークにより支援されるネットワーク装置の物理アドレス長を表す情報を含み、前記フレームボディ部分は、前記目的地ネットワークにより支援される形式のソースネットワーク装置の物理アドレス及び目的地ネットワークの装置の物理アドレスを含む請求項１２に記載のネットワーク装置。
【請求項１５】
自身の属する調整子基盤無線網とバックボーンネットワークとを連結する連結装置から受信した物理アドレス要請フレームについての応答として、前記物理アドレス要請フレームを伝送したネットワークにより支援される形式に変換された自身の物理アドレスを含む物理アドレス応答フレームを生成し、前記自身の物理アドレスを含むフレームから前記自身の物理アドレスを抽出する制御モジュールと、
前記制御モジュールで生成された前記物理アドレス応答フレームを伝送し、前記物理アドレス要請フレームまたは前記自身の物理アドレスを含むフレームを受信する送受信モジュールと、
前記制御モジュールで生成されたフレームまたは送受信モジュールから提供されたフレームを保存する保存モジュールと、を含むネットワーク装置。
【請求項１６】
調整子基盤無線網からフレームを提供されてバックボーンネットワークに伝達し、前記バックボーンネットワークからフレームを提供されて前記調整子基盤無線網に伝達する送受信モジュールと、
前記送受信モジュールから提供された調整子基盤無線網のフレームをバックボーンネットワークにより支援される形式のフレームに変換し、前記送受信モジュールから提供されたバックボーンネットワークのフレームを調整子基盤無線網により支援される形式のフレームに変換する制御モジュールと、
前記送受信モジュールにより提供されたフレームまたは前記制御モジュールにより変換されたフレームを保存する保存モジュールと、を含む調整子基盤無線網とバックボーンネットワークとを連結する連結装置。
【請求項１７】
前記制御モジュールで前記バックボーンネットワークにより支援される形式のフレームに変換された前記調整子基盤無線網のフレームは、前記フレームのヘッダ部分に含まれている目的地ネットワーク類型情報及び前記目的地ネットワークにより支援されるネットワーク装置の物理アドレス長情報によって、前記目的地ネットワークにより支援される形式のフレームに変換された後、前記バックボーンネットワークにより支援される形式のフレームに変換された調整子基盤無線網とバックボーンネットワークとを連結する請求項１６に記載の連結装置。
【請求項１８】
請求項１及び請求項１１のうちいずれか１項による方法を実行するためのコンピュータ可読プログラムを記録した記録媒体。
【発明の詳細な説明】
【技術分野】
【０００１】
本発明は、バックボーンネットワークに連結された調整子基盤無線網と異種のネットワークとの通信方法及び装置に係り、より詳細には、有無線連結装置を利用して有線バックボーンネットワークに連結された調整子基盤無線網と異種のネットワークとの通信方法及び装置に関する。
【背景技術】
【０００２】
通信及びネットワーク技術の発達につれて最近のネットワーク環境は、同軸ケーブルまたは光ケーブルのような有線媒体を利用する有線ネットワーク環境から、多様な周波数帯域の無線信号を利用する無線ネットワーク環境に変わりつつある。これにより、無線ネットワークインターフェースモジュールを含んで移動が可能であり、かつ多様な情報を処理して特定の機能を行うコンピューティング装置（以下、‘無線ネットワーク装置’という）が開発されており、また、このような無線ネットワーク装置により効率的に通信を行える無線ネットワーク技術が登場している。
【０００３】
無線ネットワークは２つの形態に大別できる。
まず、図１に図示されたように、アクセスポイントを含む無線ネットワーク形態であって、‘インフラストラクチャーモードの無線ネットワーク’ともいう。
【０００４】
他の一つは、図２に図示されたように、アクセスポイントを含まない無線ネットワーク形態であって、‘アドホックモードの無線ネットワーク’ともいう。
【０００５】
インフラストラクチャーモードの無線ネットワークは、無線ネットワークの有線ネットワークへの連結、または、無線ネットワークに属する無線ネットワーク装置間の通信のために、データ伝達の中継役割を行うアクセスポイントを使用する。したがって、あらゆるデータはアクセスポイントを経なければならない。
アドホックモードの無線ネットワークは、アクセスポイントのような中継装置を経ずに、単一の無線ネットワークに属する無線ネットワーク装置が直接互いにデータを送受信する形態である。
【０００６】
このようなネットワーク形態は、また２つに大別できるが、単一の無線ネットワークに属する無線ネットワーク装置のうち任意に選定された無線ネットワーク装置が他の無線ネットワーク装置にデータを伝送できる時間（以下、‘チャンネル時間’という）を割り当てる調整子の役割を行い、他の無線ネットワーク装置は所定チャンネル時間にのみデータを伝送できるようにするネットワーク形態と、前記のように調整子の役割を行う無線ネットワーク装置が存在せず、あらゆるネットワーク装置が必要時にいつでもデータを伝送できるネットワーク形態とがある。
【０００７】
この時、前者の場合、すなわち、調整子の役割を行う無線ネットワーク装置が存在するネットワーク形態（以下、‘調整子基盤無線ネットワーク’という）は、調整子を中心に独立された単一の無線ネットワークを形成し、一定の空間内に複数の調整子基盤無線ネットワークが存在する場合に、それぞれの調整子基盤無線ネットワークは、他の調整子基盤無線ネットワークと区別されるために固有な識別情報を持つ。
【０００８】
したがって、特定の調整子基盤無線ネットワークに属する無線ネットワーク装置は、自身の属する調整子基盤無線ネットワークでは調整子により定められたチャンネル時間の間に他のネットワーク装置とデータを送受信できるが、他の調整子基盤無線ネットワークに属する無線ネットワーク装置とは通信できない問題点がある。
【０００９】
例えば、調整子基盤無線網としてＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ；米国電気電子学会） ８０２．１５．３ネットワークを使用する場合、ＩＥＥＥ ８０２．１５．３ネットワークは、ネットワーク装置の物理アドレスとして８バイトのＭＡＣアドレスを使用し、さらにフレームのオーバーヘッドを減らすために、それを１バイトのデバイスＩＤに変えて使用する。しかし、ＩＥＥＥ ８０２．３ネットワークの場合、ネットワーク装置の物理アドレスとして６バイトのＭＡＣアドレスを使用する。このように、二つのネットワークが相異なるネットワーク装置物理アドレス形式を使用するので、それを有無線連結装置によりバックボーンネットワークに連結するとしても互いの直接的な通信には難点がある。
【００１０】
したがって、調整子基盤無線網に属するネットワーク装置と、調整子基盤無線網ではない異種のネットワークに連結されたネットワーク装置との間にデータを送受信するための新たなネットワークトポロジーを構成する必要がある。
【特許文献１】韓国特許出願公開第２０００−００２４７９０号公報
【発明の開示】
【発明が解決しようとする課題】
【００１１】
本発明は、調整子基盤無線網と異種のネットワークとを有線バックボーンを通じて連結することによって、相異なる類型のネットワークに連結されたネットワーク装置同士でもデータを送受信できる装置及び方法を提供するところに目的がある。
【００１２】
本発明の目的は、前記で言及した目的に限定されず、言及しなかったさらに他の目的は下の記載から当業者ならば明確に理解できる。
【課題を解決するための手段】
【００１３】
前記目的を達成するために、本発明の実施例によるバックボーンネットワークに連結された調整子基盤無線網と異種のネットワークとの通信方法は、自身の属する調整子基盤無線網と異なる類型のネットワークに連結された目的地ネットワーク装置の物理アドレスを獲得する段階、目的地ネットワーク装置の物理アドレスを含むフレームを提供する段階、及び提供されたフレームを調整子基盤無線網とバックボーンネットワークとを連結する連結装置に伝送する段階を含む。
【００１４】
一方、本発明の実施例によるバックボーンネットワークに連結された調整子基盤無線網と異種のネットワークとの通信方法は、自身の属する調整子基盤無線網とバックボーンネットワークとを連結する連結装置から物理アドレス要請フレームを受信する段階と、前記物理アドレス要請フレームを受信した後、前記物理アドレス要請フレームを伝送したネットワークにより支援される形式に変換された自身の物理アドレスを含む物理アドレス応答フレームを前記連結装置に伝送する段階と、前記物理アドレス応答フレームを前記連結装置に伝送した後、前記連結装置から前記自身の物理アドレスを含むフレームを受信する段階と、を含む。
【００１５】
前記目的を達成するために、本発明の実施例によるバックボーンネットワークに連結された調整子基盤無線網と異種のネットワークとの通信方法は、調整子基盤無線網内のネットワーク装置から受信したフレームをバックボーンネットワークにより支援される形式のフレームに変換する段階と、前記バックボーンネットワークにより支援される形式に変換されたフレームをバックボーンネットワークに伝達する段階と、 前記バックボーンネットワークから受信したフレームを調整子基盤無線網により支援される形式のフレームに変換する段階と、前記調整子基盤無線網により支援される形式に変換されたフレームを前記調整子基盤無線網内のネットワーク装置に伝送する段階と、を含む。
【００１６】
一方、本発明の実施例によるバックボーンネットワークに連結された調整子基盤無線網と異種のネットワークとの通信のためのネットワーク装置は、自身の属する調整子基盤無線網と異なる類型のネットワークに連結された目的地ネットワーク装置の物理アドレスを要請するフレームを生成し、前記物理アドレス要請フレームについての応答である物理アドレス応答フレームから前記目的地ネットワーク装置の物理アドレスを抽出して、前記目的地ネットワークにより支援される形式に変換された目的地ネットワーク装置の物理アドレスを含むフレームを生成する制御モジュールと、 前記制御モジュールで生成された前記物理アドレス要請フレームまたは前記目的地ネットワーク装置の物理アドレスを含むフレームを伝送し、前記物理アドレス要請フレームについての応答である前記物理アドレス応答フレームを受信する送受信モジュールと、前記制御モジュールで生成されたフレームまたは前記送受信モジュールから提供されたフレームを保存する保存モジュールと、を含む。
【００１７】
前記目的を達成するために、本発明の実施例によるバックボーンネットワークに連結された調整子基盤無線網と異種のネットワークとの通信のためのネットワーク装置は、自身の属する調整子基盤無線網とバックボーンネットワークとを連結する連結装置から受信した物理アドレス要請フレームについての応答として、前記物理アドレス要請フレームを伝送したネットワークにより支援される形式に変換された自身の物理アドレスを含む物理アドレス応答フレームを生成し、前記自身の物理アドレスを含むフレームから前記自身の物理アドレスを抽出する制御モジュールと、前記制御モジュールで生成された前記物理アドレス応答フレームを伝送し、前記物理アドレス要請フレームまたは前記自身の物理アドレスを含むフレームを受信する送受信モジュールと、前記制御モジュールで生成されたフレームまたは送受信モジュールから提供されたフレームを保存する保存モジュールと、を含む。
【００１８】
一方、本発明の実施例によるバックボーンネットワークに連結された調整子基盤無線網と異種のネットワークとの通信のための連結装置は、調整子基盤無線網からフレームを提供されてバックボーンネットワークに伝達し、前記バックボーンネットワークからフレームを提供されて前記調整子基盤無線網に伝達する送受信モジュールと、前記送受信モジュールから提供された調整子基盤無線網のフレームをバックボーンネットワークにより支援される形式のフレームに変換し、前記送受信モジュールから提供されたバックボーンネットワークのフレームを調整子基盤無線網により支援される形式のフレームに変換する制御モジュールと、前記送受信モジュールにより提供されたフレームまたは前記制御モジュールにより変換されたフレームを保存する保存モジュールと、を含む調整子基盤無線網とバックボーンネットワークとを連結する。
【００１９】
その他の実施形態の具体的な事項は詳細な説明及び図面に含まれている。
【発明の効果】
【００２０】
本発明のバックボーンネットワークに連結された調整子基盤無線網と異種のネットワークとの通信方法及び装置によれば、調整子基盤無線網と、調整子基盤無線網ではない異種のネットワークとの通信が可能になることによって調整子基盤無線網の通信領域を拡張できる。
【発明を実施するための最良の形態】
【００２１】
本発明の利点及び特徴、そしてこれを達成する方法は添付された図面に基づいて詳細に後述されている実施形態を参照すれば明確になる。しかし、本発明は以下で開示される実施形態に限定されるものではなく、この実施形態から外れて多様な形に具現でき、本明細書で説明する実施形態は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２２】
以下、添付した図面を参照して本発明の望ましい実施形態を詳細に説明する。
ＩＥＥＥ ８０２．１５．３は、無線ネットワークにおいて、国際標準協会（ＩＳＯ）が発表したネットワークモデルに関するＯＳＩ（Ｏｐｅｎ Ｓｙｓｔｅｍ Ｉｎｔｅｒｃｏｎｎｅｃｔｉｏｎ、開放システム相互連結）７階層のうち物理階層に該当するＰＨＹ階層と、データリンク階層に該当するＭＡＣ（Ｍｅｄｉａ Ａｃｃｅｓｓ Ｃｏｎｔｒｏｌ）階層とについての標準を提案している。
【００２３】
したがって、本発明をより容易に理解するために、以下では、調整子基盤無線網についての実施形態を使用して説明する。本実施形態における調整子基盤無線網は、ＩＥＥＥ ８０２．１５．３規格に従う無線個人領域ネットワーク（Ｗｉｒｅｌｅｓｓ Ｐｅｒｓｏｎａｌ Ａｒｅａ Ｎｅｔｗｏｒｋ；以下、ＷＰＡＮ）を基盤とし、ＭＡＣ階層を中心に調整子基盤無線網ではない他の類型のネットワークと有線バックボーンを利用して連結する。したがって、相異なる類型のネットワークに属するネットワーク装置同士でデータを送受信できるネットワークシステムになる。
【００２４】
図３は、ＩＥＥＥ ８０２．１５．３標準スペックによるＷＰＡＮの一般的な構成を表した図面である。
【００２５】
無線デジタルパルスとも知られているＵＷＢ（Ｕｌｔｒａ Ｗｉｄｅ Ｂａｎｄ）は、短距離区間において低電力で広いスペクトル周波数を通じて多量のデジタルデータを伝送するための無線技術であり、米国国防部が軍事的目的で開発した無線技術である。このようなＵＷＢに関する標準化は、現在ＩＥＥＥ ８０２．１５．３、すなわち、ＷＰＡＮ規格制定のためのワーキンググループで進んでいる。ＩＥＥＥ ８０２．１５．３ではＰＨＹとＭＡＣについて取り扱っているが、現在業界ではこの中でもＭＡＣの改善方案についての活発な研究を進んでいる。
【００２６】
８０２．１５．３ ＭＡＣの特徴は、無線ネットワークの形成が迅速であるということである。そして、アクセスポイント基盤ではなく、ピコネット調整子（Ｐｉｃｏｎｅｔ Ｃｏｏｒｄｉｎａｔｏｒ；以下、ＰＮＣ）という調整子を中心としたピコネットというアドホックネットワークを基盤とする。
【００２７】
ピコネットは、複数の独立的なデータデバイス（ＤＥＶ）が互いに通信することを許容する無線アドホックデータ通信システムである。ピコネットは、データ通信が一般的に人や事物周辺の小さな領域に限定されるという点で他の類型のデータネットワークとは区別される。ピコネットは、典型的に四方に１０ｍ程度範囲の停止しているか、または動く人や事物をいずれも含む。
【００２８】
８０２．１５．３標準スペックによるピコネットは、図３に図示されたように複数の構成要素からなっている。基本的な構成要素はデバイス３００である。一つのデバイスはＰＮＣの役割を行うように要求される。ＰＮＣ ３１０は、ピコネットに関する情報を持つビーコンフレーム３２０を利用してピコネットのための基本的なタイミングを提供する。さらに、ＰＮＣは良質のサービス（Ｑｕａｌｉｔｙ ｏｆ ｓｅｒｖｉｃｅ；以下、ＱｏＳ）要求条件、電源節約モード、及びピコネットについての接近制御を管理する。
【００２９】
ピコネットはＰＮＣとして行動できる８０２．１５．３デバイスがビーコンフレームを伝送し始める時に形成される。したがって、結合されたデバイスが全くなくてもビーコンフレームを送るＰＮＣは一つのピコネットとして見なされる。
【００３０】
ピコネットの各デバイスは、伝送するデータがある場合にＰＮＣにチャンネル時間を割り当てることを要請し、ＰＮＣはチャンネル時間割り当て（Ｃｈａｎｎｅｌ Ｔｉｍｅ Ａｌｌｏｃａｔｉｏｎ；以下、ＣＴＡ）を要請したデバイスについてチャンネル時間を割り当て、その情報をビーコンフレームに載せてあらゆるデバイスにブロードキャストする。ＣＴＡ情報を載せたビーコンフレームを受信したデバイスは、自身に割り当てられたチャンネルタイムになれば、保存していたデータフレームを目的地デバイスに伝送する。以下では、用語統一のためにＷＰＡＮで定義している用語を使用する。
【００３１】
図４は、ＩＥＥＥ ８０２．１５．３標準スペックによる一般的なＭＡＣフレームの構造を示す図面である。
【００３２】
図４のＭＡＣフレーム形式は、あらゆるフレームで固定された順序に現れるフィールドの集合で構成される。それぞれのＭＡＣフレームは、基本的にＭＡＣヘッダ及びＭＡＣフレームボディで構成される。ＭＡＣフレームボディは、可変長のフレームペイロード及びフレームチェックシーケンス（Ｆｒａｍｅ Ｃｈｅｃｋ Ｓｅｑｕｅｎｃｅ；以下、ＦＣＳ）で構成される。
【００３３】
ＭＡＣヘッダの構成は次の通りである。
フレーム制御フィールドは、プロトコルバージョン、フレーム類型、ＳＥＣ、ＡＣＫポリシー、リトライ、追加データ、リザーブドフィールドで構成されている。プロトコルバージョンフィールドは８０２．１５．３標準のプロトコルバージョン情報を持つ。デバイスが支援するプロトコルバージョンよりさらに高いプロトコルバージョンを持つフレームを受ければ、ソースデバイスに知らせずにそのフレームを捨てることができる。
フレーム類型フィールドは伝送されるフレームの類型を表す。フレームの類型は下表の通りである。
【００３４】
【表１】
2005318619.tif 000003
【００３５】
ＳＥＣビットは、フレームボディが保安ＩＤ（ＳＥＣＩＤ）により特定されたキーを使用して保護される時に１と設定され、そうでなければ０と設定される。ＳＥＣビットが１と設定されたフレームは保安フレーム形式を使用する。ＡＣＫポリシーフィールド（ＡＣＫ Ｐｏｌｉｃｙ ｆｉｅｌｄ）は受信者が行うように要求される確認プロシージャの類型を表すために使われる。リトライ（Ｒｅｔｒｙ）ビットは、以前に伝送したフレームを再伝送するデータまたは命令語フレームである場合に１と設定され、他のフレームでは０と設定される。追加データビットは、デバイスがＣＴＡの残りのチャンネル時間を使用しない場合に０と設定される。追加データビットは拡張ビーコンの最後のフレーム及び拡張ビーコンの一部ではないビーコンフレームで０と設定される。他のあらゆる場合には追加データビットは１と設定される。これは、拡張ビーコンの一部であるフレーム（最後のフレームは除外）を含む。
【００３６】
ピコネットＩＤ（ＰＮＩＤ）フィールドは、ピコネットのための唯一の識別子を持つ。ピコネットＩＤは大体ピコネットの現在の例（ｉｎｓｔａｎｔｉａｔｉｏｎ）の間に一定かつ同じＰＮＣによるピコネットの複数の一連の例で維持されうる。ピコネットＩＤは、ピコネットのための現在ピコネットＩＤとして設定され、ピコネットのデバイスからフレームを識別するために使われる。
【００３７】
ＭＡＣフレーム形式には二つのデバイスＩＤフィールドがある。このフィールドはソースデバイスＩＤ（ＳｒｃＩＤ）と目的地デバイスＩＤ（ＤｅｓｔＩＤ）を表すために使われる。デバイスＩＤは、一つのピコネットに結合されたデバイスに対して唯一である。ＩＥＥＥ ８０２．１５．３標準スペックでは、フレームのオーバーヘッドを減らすために、デバイスの物理アドレスとして、８バイトのＭＡＣアドレスの代わりにＰＮＣにより割り当てられた１バイトのデバイスＩＤを使用する。
【００３８】
ここで、物理アドレスとは、ネットワーク上のネットワーク装置のアドレスの一種であり、ハードウェア依存的なアドレスをいう。物理アドレスはハードウェア依存的なアドレスであるため、各ネットワーク装置の物理アドレスは全体ネットワークにわたって唯一である。８０２．１５．３に従うＷＰＡＮの場合、デバイスのＭＡＣアドレスが物理アドレスに該当する。
【００３９】
これと対比する概念としての論理アドレスは、基盤となる物理的ネットワークに関係なく普遍的な通信サービスを提供するために必要なアドレスである。他のネットワークが他のアドレス形式を持っているネットワーク環境ではネットワーク装置の物理アドレスの使用は適していないので、基盤となる物理的ネットワークに関係なく各ネットワーク装置が固有に識別できる普遍的なアドレスシステムが必要である。このような論理アドレスの一例がＩＰアドレスである。
【００４０】
断片化制御フィールドは、ＭＳＤＵ及び命令語フレームの断片化及び再組合わせを助けるために使われる。
【００４１】
フレームボディのうちフレームペイロードフィールドは、ピコネットのデバイスまたはデバイスグループに伝送される情報を載せる可変長フィールドである。ＦＣＳフィールドは３２ビットＣＲＣを含む。
【００４２】
図５は、本発明の一実施形態による有無線連結装置を利用してバックボーンネットワークに連結されたＷＰＡＮと異種のネットワークである８０２．３ネットワークとの構造を表した図面である。
【００４３】
調整子基盤無線網と異なる類型のネットワークには、ＩＥＥＥ ８０２．１１無線網、イーサネット（登録商標）など多様なネットワークがあるが、本発明の理解を容易にするためにＩＥＥＥ ８０２．３ネットワークに基づいて説明する。
【００４４】
ＩＥＥＥ ８０２．３は、イーサネット（登録商標）の規格であって、搬送波感知多重接続／衝突探知（Ｃａｒｒｉｅｒ Ｓｅｎｓｅ Ｍｕｌｔｉｐｌｅ Ａｃｃｅｓｓ／Ｃｏｌｌｉｓｉｏｎ Ｄｅｔｅｃｔｉｏｎ；以下、ＣＳＭＡ／ＣＤ）近距離通信網（Ｌｏｃａｌ Ａｒｅａ Ｎｅｔｗｏｒｋ；以下、ＬＡＮ）である。イーサネット（登録商標）とほぼ同じ概念で使われている。
【００４５】
前記ネットワークシステム５００は、一つのピコネット５２０と一つの８０２．３ネットワーク５６０、前記ピコネット及び８０２．３ネットワークと連結された有線ネットワーク５４０と、前記有線ネットワークと連結されたゲートウェイ５１０と、前記ピコネット５２０及び８０２．３ネットワーク５６０を前記有線ネットワーク５４０と連結する連結装置５２２、５６２とで構成されうる。この時、前記連結装置をさらに明確に区別するために、前記ピコネット５２０に属する連結装置５２２を‘第１連結装置’、前記８０２．３ネットワーク５６０に属する連結装置５６２を‘第２連結装置’と称するが、前記連結装置は、ネットワークトポロジーによってルーター、有無線ブリッジ、デバイスまたはＰＮＣを含みうる。例えば、前記連結装置が有無線ブリッジである場合には、前記ネットワークシステム５００は‘１９２．１６８．９．ｘ’のようなＩＰサブネットを形成する。本発明の実施形態では、有無線ネットワークの連結装置として有無線ブリッジを使用して説明する。
【００４６】
一方、前記有線ネットワーク５４０は、同軸ケーブル、光ケーブル、電力線、電話線など通信可能な媒体に基盤するいかなる方式の有線ネットワークプロトコルも従える。いかなる有線ネットワークプロトコルに従うかは、本発明が適用される物理的環境によって変わりうる。
【００４７】
本発明の実施形態によれば、例えば、デバイス＿１ ５３０がデバイス＿２ ５３５と通信しようという場合、すなわち、同じピコネット内で通信がなされる場合には、従来のＩＥＥＥ ８０２．１５．３規格に従えばよい。しかし、前記デバイス＿１ ５３０が８０２．３ネットワーク５６０に属するネットワーク装置＿１ ５６５と通信しようとすれば、デバイス＿１ ５３０は、ＩＥＥＥ ８０２．１５．３規格とＩＥＥＥ ８０２．３規格との差を解消できる情報を含む無線パケットを提供して第１連結装置５２２に伝送する。次いで、前記第１連結装置５２２は、前記無線パケットに含まれた情報を利用して最終目的地ネットワークにより支援される形式のパケットに変換した後、有線バックボーンにより伝えられうる構造を持つ有線パケットを生成する。これは、伝送媒体特性によって通信プロトコルの構造が変わり、これによりパケット構造も変わりうるからである。前記第１連結装置５２２により生成された有線パケットは、有線ネットワーク５４０を通じて第２連結装置５６２に伝送される。この時、前記有線パケットが前記第１連結装置５２２から前記第２連結装置５６２に伝えられる方法は、ブロードキャストまたはマルチキャストによる方法も可能であり、前記第２連結装置５６２にのみ直接伝達する方法を利用することもできる。
【００４８】
前記第２連結装置５６２は、前記第１連結装置５２２から受信した有線パケットを再びＩＥＥＥ ８０２．３規格に従うパケットの形態に変換した後、前記ネットワーク装置＿１ ５６５に前記変換されたパケットを伝送する。
【００４９】
この時、前記デバイス＿１ ５３０が伝送したパケットに対する応答過程は、前記ネットワーク装置＿１ ５６５がＩＥＥＥ ８０２．３規格による応答パケットを生成して第２連結装置５６２に伝送すれば、第２連結装置５６２は、受信したパケットを有線バックボーンにより支援される形式のパケットに変換して第１連結装置５２２に伝達し、第１連結装置５２２は、有線バックボーンからパケットを受信した後、このパケットをＩＥＥＥ ８０２．１５．３規格に合うパケットに変換してデバイス＿１ ５３０に伝送する。
【００５０】
一方、ＷＰＡＮの場合、デバイスの物理アドレスとして８バイト長のＭＡＣアドレスを支援し、特にフレームのオーバーヘッドを減らすために８バイトのＭＡＣアドレスの代わりに、デバイスの結合時にＰＮＣにより唯一に割り当てられた１バイトのデバイスＩＤを使用する。しかし、８０２．３ネットワークの場合、ネットワーク装置の物理アドレスとして６バイト長のＭＡＣアドレスを支援する。したがって、有線バックボーンに連結されたＷＰＡＮと８０２．３ネットワークとの通信がなされるためには、ＷＰＡＮにより支援されるフレームの形式を変換する必要がある。そのための具体的な方法は図６で後述する。
【００５１】
図６は、本発明の一実施形態によるバックボーンネットワークに連結されたＷＰＡＮと異種のネットワークである８０２．３ネットワークとの通信方法を表したフローチャートである。
【００５２】
ソースネットワーク装置は次のように動作する。目的地ネットワーク装置が同じピコネットに連結されているかどうかをＰＮＣに質問（Ｓ６００）する。目的地ネットワーク装置が同じピコネットに属する場合、図７Ａのフレーム制御フィールドの目的地ネットワーク類型７１０を０と設定し、図４に図示された従来の８０２．１５．３形式に従うＭＡＣヘッダを含むフレームを生成（Ｓ６７０）する。そして、ＰＮＣからチャンネル時間を割り当てられてＭＡＣフレームを目的地ネットワーク装置に伝送する（Ｓ６８０）。
【００５３】
一方、目的地ネットワーク装置がソースネットワーク装置と同じピコネットに属していない場合には、目的地ネットワーク類型がピコネットと同じ調整子基盤無線網であるかに関する情報を獲得する（Ｓ６１０）。目的地ネットワークの類型が同じ調整子基盤無線網ではない場合、目的地ネットワーク装置の物理アドレスを獲得する（Ｓ６２０）。ネットワークの類型に関する情報及びネットワークの類型による物理アドレスの長さ情報は、有無線連結装置やネットワーク装置で保存及び管理されうる。
【００５４】
ソースネットワーク装置は、目的地ネットワーク装置の物理アドレスを獲得（Ｓ６２０）する。物理アドレスを獲得した後、フレーム制御フィールドの目的地ネットワーク類型を１と設定し、目的地ネットワークにより支援される物理アドレスの長さを設定する。また図７Ａに図示されたように、ネットワーク装置の物理アドレスとして、ソースデバイスＩＤ及び目的地デバイスＩＤの代りに、目的地ネットワークにより支援される形式に変換されたソースデバイスのＭＡＣアドレス及び目的地デバイスのＭＡＣアドレスを生成する。前記フレーム制御フィールド及び変換されたソースデバイスのＭＡＣアドレス及び目的地デバイスのＭＡＣアドレスを含む変換された形式のＭＡＣヘッダを生成する（Ｓ６３０）。ソースデバイスは、ＰＮＣにチャンネル時間を割り当てられて変換された形式のＭＡＣヘッダを含むＭＡＣフレームを有無線ブリッジに伝送する（Ｓ６４０）。変換された形式のＭＡＣフレームの構造に関する詳細な事項は図７Ａ及び図７Ｂで後述する。前記実施形態で説明した目的地ネットワーク類型の０／１値は互い変わることもあり、それは本発明の一実施形態に過ぎないので、二類型を区別できるいかなる値も可能である。
【００５５】
一方、ソースネットワーク装置が目的地ネットワーク装置の物理アドレスを獲得する段階（Ｓ６２０）は次のように細分化されうる。目的地ネットワーク装置の物理アドレスを獲得するメカニズムの一実施形態として、アドレス決定プロトコル（Ａｄｄｒｅｓｓ Ｒｅｓｏｌｕｔｉｏｎ Ｐｒｏｔｏｃｏｌ；以下、ＡＲＰ）メカニズムを使用できる。ＡＲＰメカニズムの一実施形態は、ＴＣＰ／ＩＰプロトコルのＩＰレーヤーから提供するＡＲＰプロトコルであって、本発明の実施形態では、８０２．１５．３ネットワークの上位レイヤとしてＩＰレイヤを使用することを仮定して説明する。
【００５６】
ソースネットワーク装置は、他の類型のネットワークに属している目的地ネットワーク装置の論理アドレスであるＩＰアドレスは知っているが、物理アドレスを知っていないので、目的地ネットワーク装置のＩＰアドレスに該当する物理アドレスを要請するフレーム、すなわち、ＡＲＰ要請フレームをブロードキャストする。目的地ネットワーク装置はブロードキャストされたフレームを受信し、これに対する応答として自身の物理アドレスを含むＡＲＰ応答フレームをソースネットワーク装置に伝送する。
【００５７】
この時、ソースネットワーク装置が属する８０２．１５．３ネットワークは、物理アドレスであるＭＡＣアドレス長として８バイトを使用し、目的地ネットワーク装置が属する８０２．３ネットワークは、物理アドレスであるＭＡＣアドレスの長さとして６バイトを使用する。したがって、ソースネットワーク装置は、ソースネットワーク装置のＩＰアドレス、目的地ネットワーク装置のＩＰアドレスと目的地ネットワークにより支援される物理アドレスの形式、例えば、６バイトに変換されたソースネットワーク装置のＭＡＣアドレス及び６バイトの目的地ネットワーク装置のＭＡＣアドレスフィールドを含むＡＲＰ要請フレームを生成してブロードキャストする。
【００５８】
ブロードキャストされたＡＲＰ要請フレームを受信したソースネットワーク装置が属するネットワークの有無線ブリッジは、このフレームをバックボーンネットワークにより支援される形式のフレームに変換してバックボーンネットワークに伝達する。目的地ネットワーク装置が属するネットワークの有無線ブリッジがＡＲＰ要請フレームを受信すれば、それを目的地ネットワークにより支援される形式のフレームに変換して伝達し、目的地ネットワーク装置はＡＲＰ要請フレームを受信した後自身の物理アドレスを含むＡＲＰ応答フレームを生成してソースネットワーク装置に伝送する。ソースネットワーク装置は、目的地ネットワーク装置から伝送されたＡＲＰ応答フレームから目的地ネットワーク装置のＭＡＣアドレスを抽出する。
【００５９】
ソースネットワーク装置からＭＡＣフレームを受信した有無線ブリッジは、ＭＡＣフレームに含まれている目的地ネットワーク類型及びＭＡＣアドレス長情報を利用して目的地ネットワークにより支援される形式のフレームに変換した後、これをバックボーンネットワークのプロトコルにより支援される形式のフレームに変換して有線バックボーンネットワークに伝達する（Ｓ６５０）。
【００６０】
目的地ネットワークの有無線ブリッジは、バックボーンネットワークから伝達されたフレームの形式を目的地ネットワーク、例えば、ＩＥＥＥ ８０２．３により支援されるフレーム形式に変換した後、目的地ネットワーク装置に伝送する（Ｓ６６０）。
【００６１】
一方、目的地デバイスがソースデバイスと同じピコネットに属しておらず、目的地ネットワークが、ソースデバイスが属するネットワークと同じ類型のネットワーク、例えばピコネットである場合、二ピコネットに属するデバイスのＩＤが重複される現象を防止するためにいろいろな方法を使用できる。一実施形態は、目的地デバイスのＭＡＣアドレスを獲得（Ｓ６９０）して、ソースデバイス及び目的地デバイスの物理アドレスとしてデバイスＩＤの代わりにＭＡＣアドレスを含むフレームを提供（Ｓ６９２）できる。また他の実施形態は、多数のピコネットに固有な識別情報、例えば、ピコネットＩＤを割り当ててソースデバイスが属するネットワークの有無線ブリッジから目的地デバイスのピコネットＩＤを獲得（Ｓ６９４）して、目的地デバイスの物理アドレスとしてピコネットＩＤとデバイスＩＤとの組合わせを使用するフレームを提供（Ｓ６９６）できる。
【００６２】
一方、前記実施形態では、目的地デバイスの物理アドレスを獲得するメカニズムとしてＩＰ階層で発生するＡＲＰメカニズムを説明したが、これは一実施形態に過ぎず、目的地デバイスの物理アドレスを要請するフレーム、及びそれに対する応答として目的地デバイスの物理アドレスを含む物理アドレス応答フレームを利用した多様なデバイスの物理アドレス獲得メカニズムが援用されうるということは、当業者にとって自明である。またデバイスの物理アドレスとしてＭＡＣアドレスを中心に説明したが、これもまた一実施形態に過ぎず、ネットワークの物理的な環境によってデバイスの物理アドレスは多様に変更できる。
【００６３】
図７Ａ及び図７Ｂは、本発明の一実施形態によってネットワーク装置の物理アドレスとして、目的地ネットワークにより支援される形式に変換されたＭＡＣアドレスを含む変換されたフレームの構造を表した図面である。
【００６４】
図６に図示されたような通信メカニズムを行うために従来のＩＥＥＥ ８０２．１５．３規格に従うフレーム構造だけでは難点が多い。したがって、本発明を実施するために従来のＩＥＥＥ ８０２．１５．３規格に従うフレーム構造を変形する必要がある。そして、フレーム構造の変形は連結装置５２２、５６２の種類によって変わるところ、本発明では連結装置５２２、５６２として有無線ブリッジを利用し、これによる新たなフレーム構造を提案する。
【００６５】
図７Ａは、ＭＡＣヘッダのフレーム制御フィールドのうち留保された一つのビット７１０は目的地ネットワークの類型を表し、留保された複数のビット７２０は目的地ネットワークにより支援される物理アドレスの長さ、例えば、ＭＡＣアドレスの長さを表す。目的地ネットワーク装置が属するネットワークの類型が調整子基盤無線網ではない場合、目的地ネットワーク類型フィールドは１と設定され、ＭＡＣアドレス長フィールドは目的地ネットワークにより支援される物理アドレスの長さと設定される。目的地ネットワーク装置が属するネットワークの類型が調整子基盤無線網である場合、目的地ネットワーク類型フィールドは０と設定され、ＭＡＣアドレス長フィールドは使われないか、または調整子基盤無線網により支援されるＭＡＣアドレスの長さと設定される。一方、前記実施形態で説明した目的地ネットワーク類型の０／１値は互いに変わることもあり、これは本発明の一実施形態に過ぎず、二類型を区別できるいかなる値も可能である。
【００６６】
目的地ネットワーク類型の値が０である場合には、図４に図示された従来のＩＥＥＥ ８０２．１５．３規格に従うフレーム構造をそのまま使用する。しかし、目的地ネットワーク類型の値が１である場合には、従来のＩＥＥＥ ８０２．１５．３規格に従うフレーム構造を変形して、ＭＡＣヘッダのソースネットワーク装置ＩＤ及び目的地ネットワーク装置ＩＤの代りに、目的地ネットワークにより支援される形式に変換されたソースネットワーク装置のＭＡＣアドレス及び目的地ネットワーク装置のＭＡＣアドレスを使用する。但し、変換されたソースネットワーク装置のＭＡＣアドレスは、ソースデバイスＩＤを目的地ネットワークにより支援される物理アドレスの長さに変換したことを含みうる。
【００６７】
新たなフレーム構造のためのさらに他の実施形態では、図７Ｂに図示されたように目的地ネットワークにより支援される形式に変換されたソースネットワーク装置及び目的地ネットワーク装置のＭＡＣアドレスをＭＡＣヘッダではないフレームボディのペイロードに含めうる。図７Ａの実施形態のように、ＭＡＣヘッダのフレーム制御フィールドのうち留保された一つのビット７３０を目的地ネットワーク類型を表すビットとして使用し、留保された複数のビット７４０を目的地ネットワークにより支援される物理アドレス、例えば、ＭＡＣアドレスの長さを表すビットとして使用する。但し、目的地ネットワーク類型の値が１である場合にのみ、目的地ネットワークにより支援される形式に変換されたソースネットワーク装置及び目的地ネットワーク装置のＭＡＣアドレスを、フレームボディのペイロードにデータの一部分７５０として含める。
【００６８】
図８は、本発明の一実施形態による無線ネットワーク装置の構造を示すブロック図である。
【００６９】
本発明の一実施形態による無線デバイスは大きく、制御モジュール、送受信モジュール、保存モジュールで構成される。
【００７０】
前記‘モジュール’は、ソフトウェアまたはＦＰＧＡ（Ｆｉｅｌｄ  Ｐｒｏｇｒａｍｍａｂｌｅ  Ｇａｔｅ  Ａｒｒａｙ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、一例としてモジュールは、ソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。のみならず、構成要素及びモジュールは 通信システム内の１つまたはそれ以上のコンピュータを再生させるように具現されることもある。
【００７１】
ソースネットワーク装置の場合、制御モジュール８００は、目的地ネットワーク装置が、ソースネットワーク装置が属する調整子基盤無線網と異なる類型のネットワークに属する場合、目的地ネットワーク装置の物理アドレスを獲得するために物理アドレス要請フレームを生成し、物理アドレス要請フレームに対する応答として受信した物理アドレス応答フレームから目的地ネットワーク装置の物理アドレスを抽出して、目的地ネットワーク装置の物理アドレスを含むフレームを生成する役割を行う。
【００７２】
送受信モジュール８２０は、制御モジュールで生成された物理アドレス要請フレームまたは目的地ネットワーク装置の物理アドレスを含むフレームを伝送し、物理アドレス要請フレームに対する応答である物理アドレス応答フレームを受信する役割を行う。
【００７３】
保存モジュール８１０は、制御モジュールで生成されたフレームまたは送受信モジュールから提供されたフレームを保存する。
【００７４】
目的地ネットワーク装置の場合、制御モジュール８００は自身の属する調整子基盤無線網とバックボーンネットワークとを連結する連結装置から受信した物理アドレス要請フレームに対する応答として、物理アドレス要請フレームを伝送したネットワークにより支援される形式に変換された自身の物理アドレスを含む物理アドレス応答フレームを生成し、自身の物理アドレスを含むフレームから自身の物理アドレスを抽出する役割を行う。
【００７５】
送受信モジュール８２０は、制御モジュールで生成された物理アドレス応答フレームを伝送し、物理アドレス要請フレームまたは自身の物理アドレスを含むフレームを受信する役割を行う。
【００７６】
保存モジュール８１０は、制御モジュールで生成されたフレームまたは送受信モジュールから提供されたフレームを保存する。
【００７７】
図９は、本発明の一実施形態による有無線ネットワークの連結装置の構造を示すブロック図である。
【００７８】
有無線連結装置は大きく、制御モジュール、送受信モジュール、保存モジュールで構成されている。
【００７９】
送受信モジュール９２０は、調整子基盤無線網からフレームを提供され、調整子基盤無線網から提供されたフレームをバックボーンネットワークに伝達する送受信モジュール９２２と、バックボーンネットワークからフレームを提供され、バックボーンネットワークから提供されたフレームを調整子基盤無線網に伝達する送受信モジュール９２４とに区別される。
【００８０】
制御モジュール９００は、送受信モジュールから提供された調整子基盤無線網のフレームをバックボーンネットワークにより支援される形式のフレームに変換し、送受信モジュールから提供されたバックボーンネットワークのフレームを調整子基盤無線網により支援される形式のフレームに変換する。より詳細には、送受信モジュールから提供された調整子基盤無線網のフレームを、フレームに含まれている目的地ネットワーク類型情報及び目的地ネットワークにより支援される物理アドレスの長さ、例えば、ＭＡＣアドレス長情報によって目的地ネットワークにより支援される形式のフレームに変換した後、バックボーンネットワークにより支援される形式のフレームに変換する。また送受信モジュールから提供されたバックボーンネットワークのフレームを調整子基盤無線網により支援される形式のフレームに変換する。
【００８１】
保存モジュール９１０は、送受信モジュールにより提供されたフレームまたは制御モジュールにより変換されたフレームを保存する。これは、調整子基盤無線網とバックボーンネットワークとで一度に伝送可能なフレームの大きさが相異なる場合にそれを調整し、調整子基盤無線網とバックボーンネットワークとにより支援されるそれぞれのフレーム形式間の変換のために一時的にフレームを保存する必要があるからである。
【００８２】
以上、添付図を参照して本発明の実施形態を説明したが、 本発明が属する技術分野で当業者ならば本発明がその技術的思想や必須特徴を変更せずとも他の具体的な形に実施されうるということが理解できるであろう。したがって、前述した実施形態は全ての面で例示的なものであって、限定的なものではないと理解せねばならない。
本発明は、調整子基盤無線網と異種のネットワークとの通信に関する技術分野に好適に用いられる。
【図面の簡単な説明】
【００８３】
【図１】インフラストラクチャーモードの無線網を表した図面である。
【図２】アドホックモードの無線網を表した図面である。
【図３】ＩＥＥＥ ８０２．１５．３標準スペックによるＷＰＡＮの一般的な構成を表した図面である。
【図４】ＩＥＥＥ ８０２．１５．３標準スペックによる一般的なフレームの構造を表した図面である。
【図５】本発明の一実施形態による有無線連結装置を利用してバックボーンネットワークに連結されたＷＰＡＮと異種のネットワークである８０２．３ネットワークとの構造を表した図面である。
【図６】本発明の一実施形態によるバックボーンネットワークに連結されたＷＰＡＮと異種のネットワークである８０２．３ネットワークとの通信方法を表したフローチャートである。
【図７Ａ】本発明の一実施形態によってネットワーク装置の物理アドレスとして、目的地ネットワークにより支援される形式に変換されたＭＡＣアドレスを含む変換されたフレームの構造を表した図面である。
【図７Ｂ】本発明の一実施形態によってネットワーク装置の物理アドレスとして、目的地ネットワークにより支援される形式に変換されたＭＡＣアドレスを含む変換されたフレームの構造を表した図面である。
【図８】本発明の一実施形態による無線ネットワーク装置の構造を表したブロック図である。
【図９】本発明の一実施形態による有無線連結装置の構造を表したブロック図である。
【符号の説明】
【００８４】
８００  制御モジュール
８１０  保存モジュール
８２０  送受信モジュール
９００  制御モジュール
９１０  保存モジュール
９２０  送受信モジュール
【図１】
2005318619.tif 000004
【図２】
2005318619.tif 000005
【図３】
2005318619.tif 000006
【図４】
2005318619.tif 000007
【図５】
2005318619.tif 000008
【図６】
2005318619.tif 000009
【図７Ａ】
2005318619.tif 000010
【図７Ｂ】
2005318619.tif 000011
【図８】
2005318619.tif 000012
【図９】
2005318619.tif 000013